(57)【要約】  ウッドゴルフクラブ（２０）のセットは、外形が実質的に等しいウッドクラブヘッド（２２）を有する。ソールおよびクラウンのそれぞれにウエイトをセットすることで、ウッドクラブヘッド（２２）の総重量を実質的に同一に保ったまま、鉛直方向の重心位置を変更する。ウッドクラブヘッド（２２）は、一体的なホーゼルを備えない。ウッドクラブシャフト（２４）を受け入れるようにサイズ決めされた孔部（６０）をウッドウッドクラブヘッド（２２）内に設けるとともに、ウッドクラブシャフト（２４）が孔部（６０）に挿入されたとき、ウッドクラブシャフト（２４）をウッドウッドクラブヘッド（２２）に係合させるネジが切られた固定具（７０）を設けることで、ウッドクラブシャフト（２４）をウッドクラブヘッド（２２）に取り付ける。ウッドウッドクラブヘッド（２２）は、鋳造により形状が決められるのが望ましい。そこで使用するカスティングコアによって、セット内のソールおよびクラウンの重量を変更できる。
2005515046.tif 000002
【特許請求の範囲】
【請求項１】
ウッドゴルフクラブ（２０）のセットであって、
第１クラブヘッドソール重量、第１クラブヘッドクラウン重量、および第１クラブヘッド総重量を有する第１ウッドクラブヘッド（２２）と、
第２クラブヘッドソール重量、第２クラブヘッドクラウン重量、および第２クラブヘッド総重量を有する第２ウッドクラブヘッド（２２）と、を備え、
第１ウッドクラブヘッド（２２）の外形と、第２ウッドクラブヘッド（２２）の外形とは、実質的に等しく、
第１クラブヘッド総重量と、第２クラブヘッド総重量とは、実質的に等しく、
第１クラブヘッドソール重量は、第２クラブヘッドソール重量よりも大きく、
第１クラブヘッドクラウン重量は、第２クラブヘッドクラウン重量よりも小さい、セット。
【請求項２】
上記第１ウッドクラブヘッド（２２）および第２ウッドクラブヘッド（２２）の体積が実質的に等しい、請求項１記載のセット。
【請求項３】
上記第１ウッドクラブヘッド（２２）および第２ウッドクラブヘッド（２２）の体積がそれぞれ、約３３５ｃｍ３である、請求項１記載のセット。
【請求項４】
上記第１ウッドクラブヘッド（２２）および第２ウッドクラブヘッド（２２）の重量がそれぞれ、約１９５グラム〜約２０５グラムである、請求項１〜３のいずれか１つに記載のセット。
【請求項５】
上記第１ウッドクラブヘッド（２２）および第２ウッドクラブヘッド（２２）のそれぞれが、一体的なホーゼルを備えていない、請求項１〜４のいずれか１つに記載のセット。
【請求項６】
上記ウッドゴルフクラブ（２０）のそれぞれが、
各ウッドクラブヘッド（２２）に設けられていて、ウッドクラブシャフト（２４）の先端に固定されたホーゼルフィッティング（６６）を受け入れるようにサイズ決めされた孔部（６０）と、
上記ホーゼルフィッティング（６６）が孔部（６０）に挿入されたとき、当該ホーゼルフィッティング（６６）を各ウッドクラブヘッド（２２）に固定する、ネジが切られた固定具（７０）と、
をさらに備えている、請求項１〜５のいずれか１つに記載のセット。
【請求項７】
上記第１ウッドクラブヘッド（２２）および第２ウッドクラブヘッド（２２）のそれぞれが、チタン合金で作られている、請求項１〜６のいずれか１つに記載のセット。
【請求項８】
上記第１ウッドクラブヘッド（２２）および第２ウッドクラブヘッド（２２）のそれぞれが、アズカスト微細構造を有する金属合金で作られている、請求項１〜６のいずれか１つに記載のセット。
【請求項９】
上記第１ウッドクラブヘッド（２２）および第２ウッドクラブヘッド（２２）のそれぞれが、互いに接合されたウッドクラブヘッド本体（２６）とウッドクラブヘッドフェースプレート（２８）との２ピースから正確に作られている、請求項１〜８のいずれか１つに記載のセット。
【請求項１０】
少なくとも１つの上記ウッドクラブヘッド（２２）が、そこに固定されたウッドクラブシャフト（２４）を備えている、請求項１〜９のいずれか１つに記載のセット。
【請求項１１】
第３クラブヘッドソール重量、第３クラブヘッドクラウン重量、および第３クラブヘッド総重量を有する第３ウッドクラブヘッド（２２）をさらに備えた、請求項１〜１０のいずれか１つに記載のセットであって、
第１ウッドクラブヘッド（２２）の外形と、第２ウッドクラブヘッド（２２）の外形と、第３ウッドクラブヘッド（２２）の外形とは、実質的に等しく、
第１クラブヘッド総重量と、第２クラブヘッド総重量と、第３クラブヘッド総重量とは、実質的に等しく、
第１クラブヘッドソール重量は、第２クラブヘッドソール重量よりも大きく、第２クラブヘッドソール重量は、第３クラブヘッドソール重量よりも大きく、
第１クラブヘッドクラウン重量は、第２クラブヘッドクラウン重量よりも小さい、第２クラブヘッドクラウン重量は、第３クラブヘッドクラウン重量よりも小さい、セット。
【請求項１２】
プレーヤーにウッドゴルフクラブを提供する方法であって、
第１ウッドゴルフクラブをプレーヤーに提供し、当該第１ウッドゴルフクラブは、第１クラブヘッド総重量、および第１鉛直方向重心を備えた第１ウッドクラブヘッド（２２）を有するものであり、
上記第１ウッドゴルフクラブを使用した場合のプレーヤーの能力を分析し、
第２ウッドゴルフクラブをプレーヤーに提供し、当該第２ウッドゴルフクラブは、第１クラブヘッド総重量と実質的に等しい第２クラブヘッド総重量、および第１鉛直方向重心とは異なる第２鉛直方向重心を備えた第２ウッドクラブヘッド（２２）を有するものであり、
上記第２ウッドゴルフクラブを使用した場合のプレーヤーの能力を分析する、方法。
【請求項１３】
上記第１ウッドゴルフクラブをプレーヤーに提供する工程、および上記第２ウッドゴルフクラブをプレーヤーに提供する工程は、第１クラブヘッドソール重量および第１クラブヘッドクラウン重量を有する第１ウッドクラブヘッド（２２）を提供する工程、および第２クラブヘッドソール重量および第２クラブヘッドクラウン重量を有する第２ウッドクラブヘッド（２２）を提供する工程を含んでいて、
第１ウッドクラブヘッド（２２）の外形と、第２ウッドクラブヘッド（２２）の外形とは、実質的に等しく、
第１クラブヘッドソール重量は、第２クラブヘッドソール重量よりも大きく、
第１クラブヘッドクラウン重量は、第２クラブヘッドクラウン重量よりも小さい、請求項１２記載の方法。
【発明の詳細な説明】
【技術分野】
【０００１】
本発明は、ウッドゴルフクラブに関する。さらに詳しくは、クラブヘッドの鉛直方向の重心が選択可能なウッドゴルフクラブに関する。
【背景技術】
【０００２】
ゴルフボールを最も遠くに飛ばすために使用されるクラブは“ウッド”である。ウッドは、元来天然木で作られてきたが、今日においては、金属または複合金属で作られている。しかしながら、それらも“ゴルフクラブウッド”または“ウッド”と呼ばれ続けており、本明細書でもその語法を使用する。
【０００３】
ゴルフクラブのウッドは、比較的体積の大きなウッドクラブヘッドを備える。また、ソールに対するフェースのロフト角は、打ち出されたゴルフボールの大きな飛距離を達成できるよう選択されている。一般的には、１人のゴルフプレーヤーが使用するウッドは５本までである。各ウッドは、ロフト角が異なっており、ドライバーウッドゴルフクラブのロフト角は約７〜１１度で、他のウッドゴルフクラブのロフト角は約１２度またはそれ以上である。“ウッド”と呼ばれるゴルフクラブのうち、比較的ロフト角の小さい“ドライバー”は、最もゴルフボールを飛ばすように設計されている。このようなウッドゴルフクラブの群の中からゴルファーは、必要なゴルフクラブを選択する。１本のウッドゴルフクラブ、通常はドライバーが、ティから最も長い距離のショットを打つのに使用され、また、幾つかのロングホールでは、中間のショットを打つのに使用される。
【０００４】
ゴルフというゲームが分析的に研究され、ウッドゴルフクラブのデザインは、プレーヤーが正確に方向づけられた長距離のショットを打つ能力の一部を担っていることが明らかとなった。例えば、ウッドクラブヘッドの形状が最適化されてきた。ラージサイズのウッドクラブヘッドが導入された。プレーヤーがヘッドにウエイトを追加できるウッドクラブヘッドが設計された。
【発明の開示】
【発明が解決しようとする課題】
【０００５】
これらのアプローチは利益を生んできたが、本願発明者は、多くのプレーヤーが彼らに最適なウッドゴルフクラブを未だ手に入れられずにいることを見てきた。各プレーヤーは、体重、身長、体力、技術、および他の要素において異なる。ウッドゴルフクラブは種々のシャフト長さのものが購入されるが、クラブヘッド自体は、フェースのロフト角を除いて、あるいは、あるクラブにおいてはウッドクラブヘッドにウエイトを追加できるという点を除いて、異なるところはない。これらのアプローチは、個々のプレーヤーに最適なウッドクラブヘッドを選択するという点に関して、要求されるフレキシビリティを提供しない。
【０００６】
ウッドクラブヘッドのデザインについて改善されたアプローチが必要であり、それは、プレーヤーが各自に最適なウッドゴルフクラブを得ることができるようなものである。本発明は、この要求を満たし、それに関連した利点を与える。
【課題を解決するための手段、および発明の効果】
【０００７】
本発明により、ウッドゴルフクラブのセットが提供される。また、このセットの中から、個々のプレーヤーに最も適したウッドゴルフクラブを選択する方法が提供される。ウッドゴルフクラブのセットは、異なるウッドクラブヘッドを備える。これらのウッドクラブヘッドは、重心の鉛直方向位置が異なるが、他の物理的特性に変わることころはない。
このようなバリエーションにより、ゴルフプレーヤーは、異なるウッドクラブヘッドを試すことができ、また、そのプレーヤーに最適なロフト角を備えたウッドクラブヘッドを得ることができる。
さらに、ウッドクラブヘッドは異なるシャフトを使用できるように設計されているので、適切なウッドクラブヘッドに対して適切なシャフトを選択することができる。
【０００８】
本発明によれば、ウッドゴルフクラブの１セットは、第１クラブヘッドソール重量、第１クラブヘッドクラウン重量、および第１クラブヘッド総重量を有する第１ウッドクラブヘッドと、第２クラブヘッドソール重量、第２クラブヘッドクラウン重量、および第２クラブヘッド総重量を有する第２ウッドクラブヘッドと、を備える。
第１ウッドクラブヘッドの外形と、第２ウッドクラブヘッドの外形とは、実質的に等しく、第１クラブヘッド総重量と、第２クラブヘッド総重量とは、実質的に等しい。
第１クラブヘッドソール重量は、第２クラブヘッドソール重量よりも大きく、第１クラブヘッドクラウン重量は、第２クラブヘッドクラウン重量よりも小さい。
好ましくは、第１ウッドクラブヘッドおよび第２ウッドクラブヘッドのそれぞれが２つのピースから正確に作られる。その２ピースとは、互いに接合されたウッドクラブヘッド本体とウッドクラブヘッドフェースプレートである。
【０００９】
１つの具体例では、第１ウッドクラブヘッドおよび第２ウッドクラブヘッドの体積が実質的に等しく、好ましくは約３３５ｃｍ３である。他の具体例では、第１ウッドクラブヘッドおよび第２ウッドクラブヘッドの重量は、それぞれ、約１９５グラム〜約２０５グラムである。
【００１０】
好ましい形態では、第１ウッドクラブヘッドおよび第２ウッドクラブヘッドは、それぞれ、一体的なホーゼルを備えていない。各ウッドゴルフクラブは、孔部とネジが切られた固定具とをさらに備える。孔部は、各ウッドクラブヘッドに設けられていて、ウッドクラブシャフトを受け入れるようにサイズ決めされている。固定具は、ウッドクラブシャフトが孔部に挿入されたとき、当該ウッドクラブシャフトを各ウッドクラブヘッドに固定する。複数のウッドクラブヘッドのうちの少なくとも１つは、このアプローチにより固定されたウッドクラブシャフトを備える。
【００１１】
ウッドクラブヘッドは、“メタルウッド”であることが好ましい。つまり、第１ウッドクラブヘッドおよび第２ウッドクラブヘッドのそれぞれが、チタン合金等の金属合金で作られていることが好ましい。ウッドクラブヘッドは、ロストワックスカスティング（lost wax casting）またはダイカスティング等の鋳造手法で作られていることが好ましい。その場合、ウッドクラブヘッドは、鍛造または他の機械加工の場合における微細構造とは異なるアズカスト微細構造（as-cast microstructure）を有することとなる。
【００１２】
最も興味深いアプローチでは、第３クラブヘッドソール重量、第３クラブヘッドクラウン重量、および第３クラブヘッド総重量を有する第３ウッドクラブヘッドをさらに備える。第１ウッドクラブヘッドの外形と、第２ウッドクラブヘッドの外形と、第３ウッドクラブヘッドの外形とは、実質的に等しい。第１クラブヘッド総重量と、第２クラブヘッド総重量と、第３クラブヘッド総重量とは、実質的に等しい。
第１クラブヘッドソール重量は、第２クラブヘッドソール重量よりも大きく、第２クラブヘッドソール重量は、第３クラブヘッドソール重量よりも大きい。
第１クラブヘッドクラウン重量は、第２クラブヘッドクラウン重量よりも小さく、第２クラブヘッドクラウン重量は、第３クラブヘッドクラウン重量よりも小さい。
ソールとクラウンとの間で重量をシフトさせる結果、クラブヘッドの重心の鉛直位置が移動する。したがって、この３つのクラブヘッドからなるセットは、低重心ウッドクラブヘッド、中間重心ウッドクラブヘッド、および高重心ウッドクラブヘッドを備える点に特徴を有する。低い、中間、および高いは、ウッドクラブヘッドのソールに対してほぼ直角に鉛直方向に測定したものである。
【００１３】
プレーヤーにウッドゴルフクラブを提供する方法は、第１ウッドゴルフクラブをプレーヤーに提供する工程であって、当該第１ウッドゴルフクラブは、第１クラブヘッド総重量、および第１鉛直方向重心を備えた第１ウッドクラブヘッドを有するものである工程と、第１ウッドゴルフクラブを使用した場合のプレーヤーの能力を分析する工程と、第２ウッドゴルフクラブをプレーヤーに提供する工程であって、当該第２ウッドゴルフクラブは、第１クラブヘッド総重量と実質的に等しい第２クラブヘッド総重量、および第１鉛直方向重心とは異なる第２鉛直方向重心を備えた第２ウッドクラブヘッド（２２）を有するものである工程と、第２ウッドゴルフクラブを使用した場合のプレーヤーの能力を分析する工程と、を含む。
これらの工程は、代表的には、別のウッドクラブヘッドに対して、多様なウッドクラブシャフトを組み合わせて、繰り返される。ウッドクラブヘッドは、前述したタイプのものであることが好ましい。
【００１４】
ここで説明したウッドクラブヘッドの“セット”は、ロフト角、重量、形状、および他の物理的特性が同じである。選択した１つのロフト角に対して、重心の鉛直位置が異なるバリエーションが提供される。ウッドクラブヘッドの異なるロフト角に対して、ウッドクラブヘッドの他のセットが与えられてもよい。
したがって、例えば、鉛直方向の重心位置が低い、中間、および高いであって、ロフト角が標準的な５つのものである場合には、各ロフト角に対して３つのウッドクラブヘッドが存在し、５つのロフト角に対してトータルで１５のウッドクラブヘッドが存在することとなる。
選択可能であるというシャフトの特性を使用して、これらの多様なウッドクラブヘッドは、多様な長さ、硬度、材質、その他を有する種々のシャフトと組み合わせることができる。この多様性により、多様なウッドクラブの組み合わせをプレーヤーに提供して、どのような組み合わせが自己に最適であるのかを決定することができる。
【００１５】
本発明の他の特徴および利点は、図面を参照して以下に述べる好ましい具体例のより詳細な説明から明らかとなるであろう。その説明は、例示を介して、本発明の原理を説明するものである。しかし、本発明の範囲は好ましい具体例に限定されるものではない。
【発明を実施するための最良の形態】
【００１６】
図１は、ウッドゴルフクラブ２０を示している。ウッドゴルフクラブ２０は、“ウッド”クラブまたは“ウッド”ともいう。ウッドゴルフクラブ２０は、ウッドクラブヘッド２２、およびほぼ円筒状でウッドクラブヘッド２２に固定されたウッドクラブシャフト２４を含んでいる。
ウッドクラブシャフト２４は、適用可能なあらゆる材料から構成することができる。例えば、金属（チタニウム、アルミニウム等）、複合材料（グラファイト／エポキシ等）、または天然木等である。また、ウッドクラブシャフト２４は、適用可能なあらゆる方法で、適当な直径、適当な長さ、適当な物理的特性（弾性係数、強度等）に作成することができる。
【００１７】
図２は、ウッドクラブヘッド２２の断面図である。好ましい形態では、ウッドクラブヘッド２２の基本構造は２つのピースを含む。一方のピースは、ウッドヘッド本体２６であり、他方のピースは、ウッドヘッドのフェースプレート２８である。フェースプレート２８は、溶接物３０、接着剤、または他の固定手段によって、ヘッド本体２６に固定されている。本明細書では、ウッドヘッド本体２６を適切な２つの領域に分けて説明する。それは、地面３４に接触するほぼ平坦なソール３２と、プレーヤーがゴルフクラブ２０を握ってヘッド２２を下方に見たときに目視可能なクラウン３６と、である。ウッドヘッド本体２６は中空であることが好ましく、クラウン３６は、ウッドヘッド本体２６の内側から（外側に向かって）凸状に湾曲している。クラウン３６は、凸状で、ウッドヘッド本体２６の外側に湾曲する部分であって、図２において最も上方まで突出している。ソール３２は、図２においてウッドヘッド本体２６の最も下方側の部分であって、そのほぼ全体が平坦で、図２中の左手部分（フェースプレート２８から離れた側）が上方に僅かに湾曲している。ソール３２は、図２の左手側において、クラウン３６と連続している。
【００１８】
ウッドヘッド本体２６は、実施可能なあらゆる材料から作ることができるが、チタン合金等の金属合金で作ることが好ましい。ウッドヘッド本体２６は、実施可能なあらゆる製法で作ることができるが、ロストワックスカスティング（lost wax casting）、ダイカスティング等の鋳造技術を用いて作ることが好ましい。鍛造または機械加工であってもよい。ウッドヘッドのフェースプレート２８は、ウッドヘッド本体２６とは別個に製造される。フェースプレート２８もまた、チタン合金等の金属合金で作ることが好ましいが、ウッドヘッド本体２６に使用されているのとは異なる合金組成であってもよい。フェースプレート２８は、鍛造することが好ましい。ウッドヘッド本体２６とフェースプレート２８とを別々に製造した後、フェースプレート２８をウッドヘッド本体２６に形成した凹部に嵌め込んで、その後、溶接または接着を行う。別例として、フェースプレート２８の周囲に延在する溶接物３０によって、フェースプレート２８を所定位置に固定してもよい。
【００１９】
本願発明者は、ウッドゴルフクラブ２０の重要な性能特性が、ウッドヘッド本体２６の重心３８の鉛直位置にあることを見い出した。“鉛直位置”は、ソール３２の外表面からクラウン３６に向かって、ソール３２の平坦部と直交するライン４２に沿って測った距離ＤＣＧである。
【００２０】
図２〜４は、１セットのウッドゴルフクラブ２０に対する３つのウッドクラブヘッド２２を示している。図２〜４に示したこれら３つのウッドクラブヘッド２２は、外形および体積が実質的に同じである。また、３つのウッドクラブヘッド２２は、総重量が実質的に同じである。同時に他のパラメータ、例えばウッドクラブヘッド２２の形状、ロフト角、および総重量、を変更することなく、重心３８の鉛直位置の選択を最適化できるようにするため、このウッドゴルフクラブ２０のセットにおいて、３つのウッドクラブヘッド２２の形状、体積、および重量は、実質的に同じである。
【００２１】
３つのウッドクラブヘッド２２において、外形、体積、および総重量が実質的に一定であるという制約を維持したまま、重心３８の鉛直位置を変更することは、実施可能なあらゆるやり方で実現できる。図２〜４は、好ましいやり方を示している。ソール３２およびクラウン３６の厚みを変更して重量配分を変え、重心３８を鉛直方向に移動させている。厚みの変化および重心３８の移動量は極めて小さく、正確な縮尺の図面では判別し難い。そこで、図２〜４では、厚みの変化および重心３８の移動量を誇張して描いている。
図２のウッドクラブヘッド２２においては、ソール３２の厚みｔｓが比較的大きく、クラウン３６の厚みｔｃが比較的小さいので、ソール３２が比較的重く、クラウン３６が比較的軽い。したがって、重心３８は比較的低い。（ソール３２およびクラウン３６の厚さを測る厳密な位置は問題ではない。ただし、それぞれの領域でほぼ中央で測定され、かつ１つのセットにおいて各ウッドクラブヘッドに対して一定としていることが必要である。）  このセットのクラブヘッドにおいて、クラウンまたはソールの１つの領域の重量は、その厚みと相関を有する。すなわち、領域が厚くなると、重量は大きくなる。
図３のウッドクラブヘッド２２においては、ソール３２の厚みｔｓは、図２のウッドクラブヘッド２２のそれよりも小さく、クラウン３６の厚みｔｃは、図２のウッドクラブヘッド２２のそれよりも大きい。その結果、図３のウッドクラブヘッド２２の重心３８は、図２のウッドクラブヘッド２２の重心３８よりも高い（すなわち、ソール３２から、より離れている）。
図４のウッドクラブヘッド２２においては、ソール３２の厚みｔｓは、図３のウッドクラブヘッド２２のそれよりも小さく、クラウン３６の厚みｔｃは、図３のウッドクラブヘッド２２のそれよりも大きい。その結果、図４のウッドクラブヘッド２２の重心３８は、図３のウッドクラブヘッド２２の重心３８よりも高い（すなわち、ソール３２から、より離れている）。
図２のウッドクラブヘッド２２を、“Ｌ”（low）重心タイプと呼ぶ。図３のウッドクラブヘッド２２を、“Ｍ”（medium）重心タイプと呼ぶ。図４のウッドクラブヘッド２２を、“Ｈ”（high）重心タイプと呼ぶ。重心の鉛直位置について、図示した３つのものよりも多くのタイプのものを提供することができる。しかし、初期実験において、多くの用途に対して３つのバリエーションが有効であることが分かっている。いずれの場合にも、ウッドクラブヘッド２２の総重量が一定に保たれるように、ソール３２およびクラウン３６の厚みを変化させる。厚みの変化は、内壁４４の位置を変化させることで達成し、外壁４６の形状は変化させない。
【００２２】
図２〜４に示したウッドヘッド本体２２は、ロストワックスカスティング手法で製造されることが好ましい。この技術は、一般的には、他のデザインの中空ゴルフクラブヘッド本体の製法として知られている（例えば、米国特許第５、４２９、３６５号参照）。一般的には、外壁４６の位置、形状、およびサイズを決める外側カスティングシェルと、内壁４４の位置、形状、およびサイズを決めるカスティングコアとが存在する。この例においては、図２〜４の３つのウッドクラブヘッド２２に使用される外側カスティングシェルは同一であり、その結果、各ウッドヘッド本体２２の外形、ロフト角、および体積が同一となる。体積は、好ましくは、３３５ｃｍ３である。３つのウッドヘッド本体２６のカスティングに使用される各コアの体積は同一であり、その結果、各ウッドヘッド本体２６における金属の総量（したがって、重量）が一定量となる。重量は、好ましくは約１９５〜約２０５グラムであり、その場合、ウッドヘッド本体２６は、６重量％のチタンと４重量％のアルミニウムとバナジウムとからなるチタン合金からカスティングされる。各カスティングコアが異なる位置に配置され、上述した如きソール３２およびクラウン３６の厚みを達成し、図２〜４に示したタイプの異なる３つのウッドクラブヘッド２２を製造する。
【００２３】
外側カスティングシェルおよびカスティングコアが位置決めされると、その間の空間に溶融金属が流し込まれ、冷却により固化され、各ウッドヘッド本体２２が形成される。実施可能なすべてのカスティング材料を使用することができるが、６重量％のチタンと４重量％のアルミニウムとバナジウムとからなるチタン合金を使用することが好ましい。鋳造金属が固化した後、外側カスティングシェルおよびカスティングコアが除去されて、中空に鋳造された最終的なウッドクラブヘッド２２が残る。このウッドクラブヘッド２２は、カスティングによる微細構造を有する。鍛造や機械加工による微細構造等の他の製造技術においては、最終的なウッドクラブヘッド２２は、鍛造微細構造または機械加工微細構造等の対応した微細構造を有する。
【００２４】
重心３８の鉛直位置を変更するために、他の実施可能な技術を適用することが可能である。図５〜７は、そのような代替案の１つを示している。図２〜４の具体例において既に説明した要素をここでも使用している。図５〜７の具体例では、ソール３２にはソールフィッティング４８が、クラウン３６にはクラウンフィッティング５０が設けられている。これらのフィッティング４８、５０は、外部からアクセス可能である。対応するソールウエイトインサート５２およびクラウンウエイトインサート５４が、それぞれ、ソールフィッティング４８およびクラウンフィッティング５０に挿入される。この具体例においては、フィッティング４８、５０に雌ねじを切って、ウエイトインサート５２、５４に対応する雄ネジを切ることが好ましい。ウエイトインサート５２、５４は、簡単に取り付けたり、取り外したりすることができ、組み合わせを変更することができる。ソールウエイトインサート５２とクラウンウエイトインサート５４の総重量は一定であり、その結果、図５〜７のウッドクラブヘッド２２の総重量は一定となる。
【００２５】
図２〜４のようなアプローチの利点は、重量変化をソールおよびクラウンの全体に渡って広く分配できるということである。
図５〜７のようなアプローチの利点は、ウエイトインサート５２、５４を簡単に交換できるということである。図５〜７のようなアプローチの追加的な利点は、必要があれば、ウエイトインサート５２と５４の総重量を容易に変更できるということである。
【００２６】
図２〜４および図５〜７のウッドクラブヘッドは、重心の鉛直位置が変更可能であるという点を除いて、形状は従来のものと同一形状に描いている。これまでに認められた、あるいはこれから認められるであろうウッドクラブヘッドにおける有益な他の変更点、例えば、外形、総重量、材料構成の変更は、本発明のアプローチとともに利用されるであろう。
【００２７】
図２〜４および図５〜７におけるアプローチは、重心３８の鉛直位置を変更するのに使用される。ウッドゴルフクラブ２０の性能に大きな影響を与える他の要素は、ウッドクラブシャフト２４の特性である。図８は、本発明によるアプローチの一具体例を示している。これにより、図２〜４および図５〜７の各ウッドクラブヘッドとともに、多様なタイプのウッドクラブシャフト２４を使用することができる。このアプローチにおける好ましいウッドクラブヘッド２２は、一体的なホーゼル（hosel）を備えない。ホーゼルとは、従来のウッドクラブヘッドにおいて、クラウン３６から上方に延在するチューブ状の部分である。従来のウッドクラブのシャフトは、ホーゼルに挿入され、エポキシ等の接着剤でホーゼルに固定される。
【００２８】
図８に示した本発明のアプローチにおいては、ウッドクラブヘッド２２はホーゼルを備えない。その代わりに、ウッドヘッド本体２６内に設けた孔部６０を備える。孔部６０は、その底を定めるベース６２を有する。開口６４がベース６２を貫通して延在している。孔部６０は、ウッドクラブシャフト２４の先端６８に固定されたホーゼルフィッティング６６を受け入れるサイズとされている。（ホーゼルフィッティング６６は、ウッドクラブヘッド２２と一体的なものではない。）  ウッドクラブヘッド２２およびフェースプレート２８に対してウッドクラブシャフト２４が適正な方向を向くこととなるように、ウッドクラブヘッド２２内での孔部６０の向きが設定されている。
ホーゼルフィッティング６６が孔部６０に挿入されると、固定具、好ましくは雄ねじが切られたボルト等の固定具７０が、ベース６２の開口６４を貫通して、雌ねじが切られたホーゼルフィッティング６６と係合し、これにより、ウッドクラブシャフト２４がウッドクラブヘッド２２と係合する。ウッドゴルフクラブ２０をスイングする際に固定具７０の頭部が地面に当たらないように、ソール３２は、凹部７２において部分的に凹んでいる。
このようなアプローチにより、ウッドクラブシャフト２４を簡単に交換して、多様なウッドクラブヘッド２２とともに、試したり使用したりできる。したがって、長さ、直径、材質、弾性、および他の特性が異なる複数のシャフトを使用できる。
【００２９】
本発明の重要な適用は、個々のプレーヤーに最適なウッドゴルフクラブを提供することで、ウッドゴルフクラブに対するゴルフプレーヤーの能力を最大限高めることである。図９は、このアプローチを示している。
テスト用のウッドゴルフクラブが提供される（参照数字８０）。特定のプレーヤーに使用された場合のテスト用ウッドゴルフクラブの性能（パフォーマンス）を分析する（参照数字８２）。新たなテスト用ウッドゴルフクラブに対して、ステップ８０、８２を繰り返す（参照数字８４）。これを、評価すべき幾つかの項目に関して、そのプレーヤーの最高の能力を計測するのに必要な回数だけ行う。この評価に含まれる項目には、ウッドクラブヘッド２２、特に上述したウッドクラブヘッドの重心の鉛直位置、ウッドクラブヘッド２２に取り付けられるドライブクラブシャフト２４のタイプ、および使用するボールのタイプがある。
この手続は、選択した一定のロフト角を有する第１セットのウッドゴルフクラブに対して行う。次に、ロフト角が異なる他のセットのウッドゴルフクラブに対して行う（ただし、各セット内においては、ロフト角は一定である）。このような手続は、“ドライバー”と呼ばれるロフト角が最も小さなウッドゴルフクラブに対して最大の利益を産むものと期待されるが、他のウッドゴルフクラブに対しても同様に適用できる。
【００３０】
ゴルファーＡ、Ｂ、Ｃ（譲受人の従業者）についての下の性能テーブルは、図９の手続により、本発明によるアプローチの初期テストで得られた。テーブルの各項目は、１つの商業ブランドのゴルフボールを打った回数の平均値である。性能は、ゴルフボールの動きを分析する標準的な推進モニタリング装置（Launch Monitor device）を用いて評価された。それぞれの場合において、ゴルファーは、３つのウッドゴルフクラブ２０を使用した。それぞれの場合におけるウッドクラブヘッド２２は、３３５ｃｍ３、２００グラム、ロフト角７．５度であった。各ウッドゴルフクラブにおいて異なる点は、重心３８が低い（Ｌ）、中間（Ｍ）、高い（Ｈ）である。
下のテーブルは、各ウッドクラブヘッドの同じ位置における、ソール３２およびクラウン３６の大略の厚み（インチ）、およびその結果としての重心の鉛直位置（ミリメーター）を示している。
【表１】
2005515046.tif 000003
【００３１】
下の性能テーブルにおける各項目は、左から右に向かって、「ウッドクラブヘッドの種類（Ｌ、Ｍ、Ｈ）」、「Ｖｏ：ボールの初速（マイル／時間）」、「ＳＲ：ボールのスピンレート（回転／分）」、「ＬＡ：ボールの打出し角度（度）」、「ＣＤ：キャリーの距離（ヤード）」、「ＴＤ：キャリーとランを合わせたトータル距離（ヤード）」を表している。
【表２】
2005515046.tif 000004
【００３２】
これらのテーブル中の結果は、善し悪し、一致不一致として判断すべきものではない。これらの結果は、単に、一種類のゴルフボールについて種々のタイプのウッドクラブを組み合わせて使用した場合における個々のプレーヤーの能力を反映したものである。
【００３３】
これらのデータにおいて、ゴルファーＡおよびＢは、それぞれ、重心が低いウッドクラブヘッドを使用した場合に、最大のキャリーおよび総距離を達成している。一方、ゴルファーＣは、重心が高いウッドクラブヘッドを使用した場合に、最大のキャリーおよび総距離を達成している。このデータによれば、ゴルファーＡおよびＢに対するウッドクラブヘッドの選択は、ゴルファーＣに対するそれとは異なるであろう。これらの極めて限られたデータは、本発明によるアプローチ手法を説明するために示している。実際には、各プレーヤーについて、より多くのデータが集められる。それらには、ウッドクラブヘッドの形状および体積、ウッドクラブヘッドの重量、ウッドクラブヘッドのロフト角、ウッドクラブシャフトの種類、ウッドクラブシャフトおよびウッドクラブヘッドの材質、使用するゴルフボール、およびウッドクラブヘッドの他の特性による効果が含まれる。
【００３４】
このアプローチは、上記全ての項目を考慮に入れた上で、そのプレーヤーにとって最適な１本のウッドゴルフクラブを見つけ出すためのカスタム-フィッティングにおいて使用される。１本のウッドゴルフクラブが特定されると、図示して説明した着脱可能なシャフト（図８）がそのプレーヤーによって使用される。
図示した具体的なウッドゴルフクラブを恒久的なものとするためには、ホーゼルフィッティング６６を永久接着剤で所定の位置に固定し、固定具７０の頭部を覆うキャップを取り付けて永久接着剤で固定する。
他の場合には、他の項目が考慮される。例えば、風の状態、打出し角度、ヒール／トウ比率、サイドスピン、軸に対する精度、距離精度、フェースマッピング、その他である。このようにして、例えば、そのプレーヤーが使用する多数のゴルフクラブが特定される。例えば、無風状態で使用するドライバーウッドゴルフクラブ、逆風状態で使用するドライバーウッドゴルフクラブ、追風状態で使用するドライバーウッドゴルフクラブ等である。
【００３５】
本発明の特定の具体例を図解を目的として詳細に説明したが、本発明の範囲から逸脱することなく、多様な変形および改良が可能である。したがって、本発明は、添付の特許請求の範囲の記載以外のもので限定されるべきではない。
【図面の簡単な説明】
【００３６】
【図１】本発明のウッドゴルフクラブの斜視図。
【図２】図１中の２−２線断面図。クラブヘッドの重心を調節する好ましい技術を示している。
【図３】図１中の２−２線断面図。クラブヘッドの重心を調節する好ましい技術を示している。
【図４】図１中の２−２線断面図。クラブヘッドの重心を調節する好ましい技術を示している。
【図５】図２〜４と同様、図１中の２−２線断面図。クラブヘッドの重心を調節する第２の技術を示している。
【図６】図２〜４と同様、図１中の２−２線断面図。クラブヘッドの重心を調節する第２の技術を示している。
【図７】図２〜４と同様、図１中の２−２線断面図。クラブヘッドの重心を調節する第２の技術を示している。
【図８】図１中の８−８線に沿うウッドクラブヘッドの拡大した部分破断断面図。
【図９】あるプレーヤーに対してウッドゴルフクラブを提供する方法を示すブロックダイアグラム。
【図１】
2005515046.tif 000005
【図２】
2005515046.tif 000006
【図３】
2005515046.tif 000007
【図４】
2005515046.tif 000008
【図５】
2005515046.tif 000009
【図６】
2005515046.tif 000010
【図７】
2005515046.tif 000011
【図８】
2005515046.tif 000012
【図９】
2005515046.tif 000013
【手続補正書】
【提出日】平成16年1月26日(2004.1.26)
【手続補正１】
【補正対象書類名】特許請求の範囲
【補正対象項目名】全文
【補正方法】変更
【補正の内容】
【特許請求の範囲】
【請求項１】
１人のプレーヤーに１本のウッドゴルフクラブを適合させる方法であって、
第１ウッドゴルフクラブをプレーヤーに提供する工程であって、当該第１ウッドゴルフクラブが備える第１ウッドクラブヘッドは、第１クラブヘッド総重量、第１鉛直方向重心、第１クラブヘッドをシャフトに取り付ける取付機構、および当該取付機構によって第１クラブヘッドに取り付けられるシャフトを有するものである工程と、
上記第１ウッドゴルフクラブを使用するプレーヤーの能力を分析する工程と、
第２ウッドゴルフクラブをプレーヤーに提供する工程であって、当該第２ウッドゴルフクラブが備える第２ウッドクラブヘッドは、第２クラブヘッド総重量、第１鉛直方向重心とは異なる第２鉛直方向重心、第２クラブヘッドをシャフトに取り付ける取付機構、および当該取付機構によって第２クラブヘッドに取り付けられるシャフトを有するものである工程と、
上記第２ウッドゴルフクラブを使用するプレーヤーの能力を分析する工程と、を含む方法。
【請求項２】
上記第１ウッドゴルフクラブを提供する工程、および上記第２ウッドゴルフクラブを提供する工程は、第１クラブヘッドソール重量および第１クラブヘッドクラウン重量を有する上記第１ウッドクラブヘッドを提供する工程、および第２クラブヘッドソール重量および第２クラブヘッドクラウン重量を有する上記第２ウッドクラブヘッドを提供する工程を含んでいて、
第１ウッドクラブヘッドの外形と、第２ウッドクラブヘッドの外形とは、実質的に等しく、
第１クラブヘッドソール重量は、第２クラブヘッドソール重量よりも大きく、
第１クラブヘッドクラウン重量は、第２クラブヘッドクラウン重量よりも小さい、請求項１記載の方法。
【請求項３】
上記第２ウッドゴルフクラブを提供する工程は、
第１ウッドゴルフクラブに係る取付機構を用いて、第１ゴルフクラブヘッドから上記シャフトを取り外す工程と、
当該シャフトを、第２ウッドゴルフクラブに係る取付機構を用いて、第２ゴルフクラブヘッドに取り付ける工程とを含む、請求項１記載の方法。
【請求項４】
上記第２ゴルフクラブヘッドからシャフトを取り外す工程と、
第２ウッドゴルフクラブを使用するプレーヤーの上記能力分析に基づいて、別のシャフトを第２ゴルフクラブヘッドに取り付ける工程とをさらに含む、請求項１記載の方法。
【請求項５】
上記別のシャフトを取り付けた第２ウッドゴルフクラブを使用するプレーヤーの能力を分析する工程と、
当該分析の結果に基づいて、当該別のシャフトおよび第２クラブヘッドの組み合わせが当該プレーヤーに適しているか否かを決定する工程とをさらに含む、請求項４記載の方法。
【請求項６】
上記別のシャフトおよび第２クラブヘッドの組み合わせが当該プレーヤーに適してはいないと決定された場合には、
取付機構を用いて、第２クラブヘッドから上記他のシャフトを取り外す工程と、
取付機構を用いて、第２クラブヘッドにさらに別のシャフトを取り付ける工程と、
当該第３のシャフトを取り付けた第２ウッドゴルフクラブを使用するプレーヤーの能力を分析する工程と、をさらに含む請求項５記載の方法。
【請求項７】
上記分析の結果に基づいて、第３のシャフトおよび第２クラブヘッドの組み合わせが当該プレーヤーに適しているか否かを決定する工程とをさらに含む、請求項６記載の方法。
【請求項８】
１人のプレーヤーに１本のウッドゴルフクラブを適合させる方法であって、
あるシャフトをあるクラブヘッドに取り付けてゴルフクラブを組み立てる工程と、
当該組み立てたゴルフクラブを使用してプレーヤーのスイングを分析する工程と、
上記分析に基づいて、上記シャフトが当該プレーヤーに適しているか否かを決定する工程と、
上記シャフトが適していないと決定された場合には、上記シャフトをクラブヘッドから取り外して、当該クラブヘッドに新たなシャフトを取り付ける工程と、を含む方法。
【請求項９】
上記新たなシャフトで組み立てられたゴルフクラブを使用して上記プレーヤーのスイングを分析して、当該新たなシャフトが当該プレーヤーに適しているか否かを決定する工程をさらに含む、請求項８記載の方法。
【請求項１０】
組み立てたゴルフクラブを分析する工程は、シャフト長さが当該プレーヤーに適しているか否かを分析する工程を含む、請求項８記載の方法。
【請求項１１】
組み立てたゴルフクラブを分析する工程は、シャフト直径が当該プレーヤーに適しているか否かを分析する工程を含む、請求項８記載の方法。
【請求項１２】
組み立てたゴルフクラブを分析する工程は、シャフト材質が当該プレーヤーに適しているか否かを分析する工程を含む、請求項８記載の方法。
【請求項１３】
組み立てたゴルフクラブを分析する工程は、シャフト弾性が当該プレーヤーに適しているか否かを分析する工程を含む、請求項８記載の方法。
【請求項１４】
上記分析に基づいて、上記クラブヘッドが当該プレーヤーに適しているか否かを決定する工程と、
当該クラブヘッドが当該プレーヤーに適してはいないと決定された場合には、上記シャフトを当該クラブヘッドから取り外して、当該シャフトに新たなクラブヘッドを取り付ける工程とをさらに含む、請求項８記載の方法。
【請求項１５】
上記新たなクラブヘッドで組み立てられたゴルフクラブを使用して上記プレーヤーのスイングを分析して、当該新たなクラブヘッドが当該プレーヤーに適しているか否かを決定する工程をさらに含む、請求項１４記載の方法。
【請求項１６】
上記新たなクラブヘッドは、元のクラブヘッドと実質的に同じ外形を有する、請求項１４記載の方法。
【請求項１７】
上記新たなクラブヘッドは、元のクラブヘッドと実質的に同じ総重量を有する、請求項１４記載の方法。
【請求項１８】
上記新たなクラブヘッドは、元のクラブヘッドと実質的に同じ総重量を有する、請求項１４記載の方法。
【請求項１９】
上記新たなクラブヘッドは、元のクラブヘッドとは異なる重心を有する、請求項１４記載の方法。
【請求項２０】
上記新たなクラブヘッドは、元のクラブヘッドとは異なるソール重量を有する、請求項１４記載の方法。
【請求項２１】
上記新たなクラブヘッドは、元のクラブヘッドとは異なるクラウン重量を有する、請求項１４記載の方法。
【請求項２２】
上記新たなクラブヘッドは、元のクラブヘッドとは異なるロフト角を有する、請求項１４記載の方法。
【請求項２３】
ゴルフクラブヘッドを作る方法であって、
当該クラブヘッドの総重量を決定する工程と、
当該クラブヘッドの全体サイズを決定する工程と、
当該クラブヘッドの重心を決定する工程と、
決定した上記総重量および全体サイズを有するクラブヘッドを製造する工程と、
上記決定した重心を実現するために、クラブヘッドのソール厚さを変更する工程と、を含む方法。
【請求項２４】
上記重心を決定する工程では、上記クラブヘッドが高い重心を有するよう決定され、
上記クラブヘッドのソール厚さを変更する工程では、ソールプレートがより薄くされる、請求項２３記載の方法。
【請求項２５】
上記重心を決定する工程では、上記クラブヘッドが低い重心を有するよう決定され、
上記クラブヘッドのソール厚さを変更する工程では、ソールプレートがより厚くされる、請求項２３記載の方法。
【請求項２６】
上記重心を決定する工程では、上記クラブヘッドが中間の重心を有するよう決定され、
上記クラブヘッドのソール厚さを変更する工程では、ソールプレートが中間の厚みとされる、請求項２３記載の方法。
【請求項２７】
上記決定した重心を実現するために、クラブヘッドのクラウン厚さを変更する工程をさらに含む、請求項２３記載の方法。
【請求項２８】
上記重心を決定する工程では、上記クラブヘッドが高い重心を有するよう決定され、
上記クラブヘッドのクラウン厚さを変更する工程では、クラウンプレートがより厚くされる、請求項２７記載の方法。
【請求項２９】
上記重心を決定する工程では、上記クラブヘッドが低い重心を有するよう決定され、
上記クラブヘッドのクラウン厚さを変更する工程では、クラウンプレートがより薄くされる、請求項２７記載の方法。
【請求項３０】
上記重心を決定する工程では、上記クラブヘッドが中間の重心を有するよう決定され、
上記クラブヘッドのクラウン厚さを変更する工程では、クラウンプレートが中間の厚みとされる、請求項２７記載の方法。
【請求項３１】
上記クラウン厚さを変更する工程では、クラウンの厚みがクラウン全体に渡って変更される、請求項２７記載の方法。
【請求項３２】
上記ソール厚さを変更する工程では、ソールプレートの厚みがソール全体に渡って変更される、請求項２３記載の方法。
【請求項３３】
ゴルフクラブヘッドを作る方法であって、
当該クラブヘッドの総重量を決定する工程と、
当該クラブヘッドの全体サイズを決定する工程と、
当該クラブヘッドの重心を決定する工程と、
決定した上記総重量および全体サイズを有するクラブヘッドを製造する工程と、
上記決定した重心を実現するために、クラブヘッドのソールにソールウエイトを挿入する工程と、を含む方法。
【請求項３４】
上記重心を決定する工程では、上記クラブヘッドが高い重心を有するよう決定され、
上記クラブヘッドのソールプレートにソールウエイトを挿入する工程では、より軽いソールウエイトがソールプレートに挿入される、請求項３３記載の方法。
【請求項３５】
上記重心を決定する工程では、上記クラブヘッドが低い重心を有するよう決定され、
上記クラブヘッドのソールプレートにソールウエイトを挿入する工程では、より重いソールウエイトがソールプレートに挿入される、請求項３３記載の方法。
【請求項３６】
上記重心を決定する工程では、上記クラブヘッドが中間の重心を有するよう決定され、
上記クラブヘッドのソールプレートにソールウエイトを挿入する工程では、中間の重さのソールウエイトがソールプレートに挿入される、請求項３３記載の方法。
【請求項３７】
上記決定した重心を実現するために、上記クラブヘッドのクラウンにクラウンインサートを挿入する工程をさらに含む、請求項３３記載の方法。
【請求項３８】
上記重心を決定する工程では、上記クラブヘッドが高い重心を有するよう決定され、
上記クラブヘッドのクラウンにクラウンウエイトを挿入する工程では、より重いクラウンウエイトがクラウンに挿入される、請求項３７記載の方法。
【請求項３９】
上記重心を決定する工程では、上記クラブヘッドが低い重心を有するよう決定され、
上記クラブヘッドのクラウンにクラウンウエイトを挿入する工程では、より軽いクラウンウエイトがクラウンに挿入される、請求項３７記載の方法。
【請求項４０】
上記重心を決定する工程では、上記クラブヘッドが中間の重心を有するよう決定され、
上記クラブヘッドのクラウンにクラウンウエイトを挿入する工程では、中間の重さのクラウンウエイトがクラウンに挿入される、請求項３７記載の方法。
【請求項４１】
所望の重心と、
上記所望の重心を得るために厚みを変更可能なクラウンと、
上記所望の重心を得るために厚みを変更可能なソールプレートと、を備えるクラブヘッド。
【請求項４２】
上記クラウンの全体に渡って厚みが変更可能である、請求項４１記載のクラブヘッド。
【請求項４３】
低い所望の重心を得るために、上記クラウンを全体に渡って薄くすることができる、請求項４１記載のクラブヘッド。
【請求項４４】
高い所望の重心を得るために、上記クラウンを全体に渡って厚くすることができる、請求項４１記載のクラブヘッド。
【請求項４５】
中間の所望の重心を得るために、上記クラウンを全体に渡って中間厚みにすることができる、請求項４１記載のクラブヘッド。
【請求項４６】
上記ソールプレートの全体に渡って厚みが変更可能である、請求項４１記載のクラブヘッド。
【請求項４７】
低い所望の重心を得るために、上記ソールプレートを全体に渡って厚くすることができる、請求項４１記載のクラブヘッド。
【請求項４８】
高い所望の重心を得るために、上記ソールプレートを全体に渡って薄くすることができる、請求項４１記載のクラブヘッド。
【請求項４９】
中間の所望の重心を得るために、上記ソールプレートを全体に渡って中間厚みにすることができる、請求項４１記載のクラブヘッド。
【請求項５０】
シャフトの端部に固定されたホーゼルフィッティングを受け入れるようサイズ決めされた孔部をさらに備える、請求項４１記載のクラブヘッド。
【請求項５１】
上記孔部にシャフトが挿入されたとき、当該シャフトがクラブヘッドに対して適正な方向を向くように孔部の方向が決められている、請求項５０記載のクラブヘッド。
【請求項５２】
上記シャフトをクラブヘッドに固定する固定具を受け入れる形状とされた開口をさらに備えている、請求項５０記載のクラブヘッド。
【請求項５３】
上記固定具がシャフトに固定されたときに、ソールプレートを超えて固定具が突出しないように、上記ソールプレートが上記開口の周囲において凹んでいる、請求項５２記載のクラブヘッド。
【請求項５４】
所望の重心と、
上記所望の重心を得るために、所定ウエイトのインサートを受け入れるフィッティングを備えたクラウンと、
上記所望の重心を得るために、所定ウエイトのインサートを受け入れるフィッティングを備えたソールプレートと、を備えるクラブヘッド。
【請求項５５】
低い所望の重心を得るために、上記クラウンのフィッティングに挿入されるウエイトがより軽い、請求項５４記載のクラブヘッド。
【請求項５６】
高い所望の重心を得るために、上記クラウンのフィッティングに挿入されるウエイトがより重い、請求項５４記載のクラブヘッド。
【請求項５７】
中間の所望の重心を得るために、上記クラウンのフィッティングに挿入されるウエイトが中間の重さである、請求項５４記載のクラブヘッド。
【請求項５８】
低い所望の重心を得るために、上記ソールプレートのフィッティングに挿入されるウエイトがより重い、請求項５４記載のクラブヘッド。
【請求項５９】
高い所望の重心を得るために、上記ソールプレートのフィッティングに挿入されるウエイトがより軽い、請求項５４記載のクラブヘッド。
【請求項６０】
中間の所望の重心を得るために、上記ソールプレートのフィッティングに挿入されるウエイトが中間の重さである、請求項５４記載のクラブヘッド。
【請求項６１】
シャフトの端部に固定されたホーゼルフィッティングを受け入れるようサイズ決めされた孔部をさらに備える、請求項５４記載のクラブヘッド。
【請求項６２】
上記孔部にシャフトが挿入されたとき、当該シャフトがクラブヘッドに対して適正な方向を向くように孔部の方向が決められている、請求項５４記載のクラブヘッド。
【請求項６３】
上記シャフトをクラブヘッドに固定する固定具を受け入れる形状とされた開口をさらに備えている、請求項５４記載のクラブヘッド。
【請求項６４】
上記固定具がシャフトに固定されたときに、ソールプレートを超えて固定具が突出しないように、上記ソールプレートが上記開口の周囲において凹んでいる、請求項６３記載のクラブヘッド。
【国際調査報告】
2005515046.tif 000014
2005515046.tif 000015